(57)【特許請求の範囲】
【請求項１】
光ビームを出射する光源と、
前記光源から出射された光ビームが入射され、その光ビームを偏向走査する光偏向手段と、
前記光偏向手段によって偏向走査された光ビームを被走査面に導く光学素子と、
前記光源、前記光偏向手段、及び前記光学素子が搭載された筐体と、
前記筐体に平面視三角形状に３つ配置され、前記光学素子の下面を支持する支持部と、
前記光学素子の上面に当接する平面視三角形状に配置された３つの当接部を備え、その３つの当接部により前記３つの支持部との間で前記光学素子を保持する保持部材と、
前記保持部材の前記当接部が設けられた面とは反対側の面における両側端部近傍を前記３つの支持部側へ押圧する一対の押圧手段と、
を有し、
前記支持部のうち、少なくとも１つは前記光学素子を支持する位置を変更することで当該光学素子の傾きを変更させることができるとともに、
前記保持部材は、前記光学素子が傾きを変更するときに当該光学素子と共に傾きが変更されることを特徴とする光走査装置。
【請求項２】
前記保持部材に設けられた前記３つの当接部が、前記３つの支持部に略対向して配置されていることを特徴とする請求項１に記載の光走査装置。
【請求項３】
前記保持部材を押圧する前記一対の押圧手段に設けられた押圧部が、前記３つの当接部を結んで形成される三角形内に配置されていることを特徴とする請求項１又は請求項２に記載の光走査装置。
【請求項４】
前記光学素子が、主走査方向に長く形成され、
前記光学素子の傾きを変更させることができる前記支持部が、前記光学素子の長手方向略中央部に配置され、残りの前記支持部が、前記光学素子の長手方向両端部にそれぞれ設けられていることを特徴とする請求項１〜請求項３の何れか１項に記載の光走査装置。
【請求項５】
前記光学素子の傾きを変更させることができる前記支持部から前記一対の押圧手段までの距離がそれぞれ等しいことを特徴とする請求項４に記載の光走査装置。
【請求項６】
請求項１〜請求項５の何れか１項に記載の光走査装置を備え、その光走査装置で偏向走査された光ビームにより電子写真方式で画像を形成することを特徴とする画像形成装置。
【発明の詳細な説明】
【技術分野】
【０００１】
本発明は光走査装置及び画像形成装置に係り、特に、光偏向手段によって偏向走査された光ビームを光学素子によって被走査面に導く光走査装置、及びそれを備えた画像形成装置に関する。
【背景技術】
【０００２】
電子写真方式の画像形成装置では、光走査装置に搭載された光偏向器によって光ビームを偏向走査し、ｆθレンズやシリンドリカルレンズ、反射ミラー等の複数の光学素子によって構成された光学系により感光体ドラム上に結像させて画像を形成しているが、高品質な画像を得るには、それらの光学素子を高精度に位置決め（位置調整）するとともに、振動等によって位置ずれしないよう安定して保持することで、光ビームの走査性能に影響が出ないようにする必要がある。
【０００３】
例えば、従来の光学素子を保持する構造では、図８（Ａ）、（Ｂ）に示すように、光走査装置のハウジング１１０に設けた一対の突部８０及び調整ネジ８２からなる３箇所の支持部で、シリンドリカルミラー６０の下面６０Ａにおける両側端部及び中央部を支持するとともに、上面６０Ｂの両側端部付近を一対のバネ部材１０６の突部１０８によって下方（３箇所の支持部側）へ押圧することにより、高さ方向（矢印Ｚ方向）の位置決めをして保持している。
【０００４】
また、光軸Ｌ方向（厚さ方向／矢印Ｘ方向）については、ミラー面６０Ｃ側の両端部付近を一対のバネ部材９８によって押圧し、背面の両端部付近をハウジング１１０に設けた一対の位置決め部材１００に当接させることで位置決めしており、光軸Ｌ方向と直交するシリンドリカルミラー６０の長手方向（長さ方向／矢印Ｙ方向））については、一側面をバネ部材１０２によって押圧し、他側面をハウジング１１０に設けた位置決め突起部１０４に当接させることで位置決めして保持している。
【０００５】
そして、調整ネジ８２を回転させて進退（上下移動）させることにより、シリンドリカルミラー６０の傾き調整が行われる。
【０００６】
ただし、このような光学素子の保持構造では、光学素子が小型化されると、３点の支持部のピッチが狭くなり、それらの支持部とは位置がずれた両側端部付近の２点（図８（Ａ）参照）のみで押圧しているため、傾き調整での傾動方向に対する追従性や安定性が悪くなって調整精度に影響が及ぶ。特に、ＹＭＣＫの各色毎に独立した印刷（画像形成）ユニットを備え、４サイクル方式に比べて高速印刷が可能なタンデム方式の画像形成装置では、光走査装置の小型化に伴い、光学素子が小型化及び高密度実装化されるため、光学素子を押圧する押圧点の配置や数に対する制約が増して、安定した保持状態を得るための設計が困難となる。
【０００７】
これに対し、光学素子の上面に、３個の板バネ（弾性押さえ部材）を形成した金属板からなる押さえ基板を取り付けることで、その３個の板バネによって光学素子を３個の支持部材（ネジ）に押圧し、光学素子を長期間安定して保持できるようにした技術がある（例えば、特許文献１参照）。
【特許文献１】特開２００４−４５９４６号公報
【発明の開示】
【発明が解決しようとする課題】
【０００８】
しかしながら、上記特許文献１の技術では、光学素子を３個の板バネによって直接押圧するため、各板バネの加工形状の誤差によって押圧力がばらついてしまい、また、光学素子と板バネの接触抵抗も高まるため、傾き調整においては、やはり傾動方向への追従性や安定性が悪くなって調整精度に影響が出てしまう。さらに、押さえ基板をねじ止め固定しているため、組み立て作業性が悪くなる問題もある。
【０００９】
本発明は上記事実を考慮して、簡単な構成によって光学素子の保持安定性と傾き調整における傾動方向への追従性及び安定性を向上し、光学素子による光ビームの走査性能の低下を抑えて、高品質な画像を形成することができる光走査装置及び画像形成装置を提供することを課題とする。
【課題を解決するための手段】
【００１０】
上記目的を達成するために請求項１に記載の発明は、光ビームを出射する光源と、前記光源から出射された光ビームが入射され、その光ビームを偏向走査する光偏向手段と、前記光偏向手段によって偏向走査された光ビームを被走査面に導く光学素子と、前記光源、前記光偏向手段、及び前記光学素子が搭載された筐体と、前記筐体に平面視三角形状に３つ配置され、前記光学素子の下面を支持する支持部と、前記光学素子の上面に当接する平面視三角形状に配置された３つの当接部を備え、その３つの当接部により前記３つの支持部との間で前記光学素子を保持する保持部材と、前記保持部材の前記当接部が設けられた面とは反対側の面における両側端部近傍を前記３つの支持部側へ押圧する一対の押圧手段と、を有し、前記支持部のうち、少なくとも１つは前記光学素子を支持する位置を変更することで当該光学素子の傾きを変更させることができるとともに、前記保持部材は、前記光学素子が傾きを変更するときに当該光学素子と共に傾きが変更されることを特徴としている。
【００１１】
請求項１に記載の発明では、平面視三角形状に配置された３つの支持部上に載置されて、下面が支持された光学素子は、その上面に配置された保持部材の両側端部近傍が一対の押圧手段によって３つの支持部側へ押圧されることにより、保持部材に設けられて平面視三角形状に配置された剛体からなる３つの当接部によって上面の３箇所が押圧された状態で保持される。
【００１２】
このように、３箇所で支持された下面に対し、上面も３箇所で押圧することにより、上面を２箇所で押圧する構成に比べて光学素子の保持安定性が向上する。また、３つの支持部における少なくとも１つを上下方向へ移動させて光学素子の傾きを変更するときに、その光学素子と共に保持部材も傾きが変更されるので、傾動方向に対する追従性及び安定性が良好になって、高精度な調整が可能となり、調整後の保持安定性も向上する。
【００１３】
また、この保持部材は、３つの当接部が剛体であるため、加工が容易で構成が簡素化され、さらに、光学素子とともに３つの支持部と一対の押圧手段の間に挟持されて保持されるため、着脱も容易である。
【００１４】
これにより、簡単な構成によって光学素子の保持安定性と傾き調整における傾動方向への追従性及び安定性を向上させることができ、光学素子による光ビームの走査性能の低下が抑えられる。
【００１５】
請求項２に記載の発明は、請求項１に記載の光走査装置において、前記保持部材に設けられた前記３つの当接部が、前記３つの支持部に略対向して配置されていることを特徴としている。
【００１６】
請求項２に記載の発明では、保持部材に設ける３つの当接部を、３つの支持部に略対向して配置することにより、光学素子の保持安定性と、傾き調整時の傾動方向に対する追従性及び安定性が更に高められる。
【００１７】
請求項３に記載の発明は、請求項１又は請求項２に記載の光走査装置において、前記保持部材を押圧する前記一対の押圧手段に設けられた押圧部が、前記３つの当接部を結んで形成される三角形内に配置されていることを特徴としている。
【００１８】
請求項３に記載の発明では、一対の押圧手段に設けられた押圧部を、３つの当接部を結んで形成される三角形内に配置して、保持部材を押圧することにより、光学素子に対する保持部材（３つの当接部）の当接状態が安定する。これにより、光学素子の保持安定性、及び、傾き調整時の傾動方向に対する追従性と安定性が更に良好になる。
【００１９】
請求項４に記載の発明は、請求項１〜請求項３の何れか１項に記載の光走査装置において、前記光学素子が、主走査方向に長く形成され、前記光学素子の傾きを変更させることができる前記支持部が、前記光学素子の長手方向略中央部に配置され、残りの前記支持部が、前記光学素子の長手方向両端部にそれぞれ設けられていることを特徴としている。
【００２０】
請求項４に記載の発明では、光学素子の傾きを変更させることができる支持部が、光学素子の長手方向略中央部に配置され、残りの支持部が、光学素子の長手方向両端部にそれぞれ設けられている。これにより、光学素子の保持安定性、及び、傾き調整時の傾動方向に対する追従性と安定性が更に良好になる。
【００２１】
請求項５に記載の発明は、請求項４に記載の光走査装置において、前記光学素子の傾きを変更させることができる前記支持部から前記一対の押圧手段までの距離がそれぞれ等しいことを特徴としている。
【００２２】
請求項５に記載の発明では、光学素子の傾きを変更させることができる支持部から一対の押圧手段までの距離がそれぞれ等しい。これにより、光学素子の保持安定性、及び、傾き調整時の傾動方向に対する追従性と安定性が更に良好になる。
【００２３】
請求項６に記載の発明に係る画像形成装置は、請求項１〜請求項５の何れか１項に記載の光走査装置を備え、その光走査装置で偏向走査された光ビームにより電子写真方式で画像を形成することを特徴としている。
【００２４】
上記の光走査装置を備えた電子写真方式の画像形成装置であれば、光学素子による光ビームの走査性能の低下が抑えられて、高品質な画像を形成することができる。
【００２５】
なお、３つの当接部を保持部材に一体的に設けると、その３つの当接部が別体とされる場合に比べて、保持部材を簡素化でき、安価に作製することができる。また、保持部材の縁部に曲げ部を屈曲形成すると、保持部材を薄肉としても、その曲げ部によって保持部材の剛性が高められるため、軽量化及び高剛性化を図りつつ、光学素子を保持する際の変形が抑えられて保持性能に優れる。
【００２６】
また、保持部材が金属板で形成されていると、プレス成形によって打ち出し加工や曲げ加工等を施すことで、当接部を一体的に設けたり、剛性の向上を図って所望とする形状の保持部材を簡単且つ安価に作製することができる。
【発明の効果】
【００２７】
本発明の光走査装置及び画像形成装置によれば、簡単な構成で光学素子の保持安定性と傾き調整における傾動方向への追従性及び安定性が向上し、光学素子による光ビームの走査性能の低下が抑えられて、高品質な画像を形成することができる。
【発明を実施するための最良の形態】
【００２８】
以下、図面を参照して本発明の実施形態の一例を詳細に説明する。
【００２９】
本実施形態に係る画像形成装置１０は、図１に示すように、光走査装置２８ＣＫ、光走査装置２８ＹＭを備えている。光走査装置２８ＣＫは、感光体ドラム２４Ｃと感光体ドラム２４Ｋに走査露光するものであり、Ｃ（シアン）、Ｋ（ブラック）の各色に対応した光学系を備えている。光走査装置２８ＹＭは、感光体ドラム２４Ｙと感光体ドラム２４Ｍに走査露光するものであり、Ｙ（イエロー）、Ｍ（マゼンタ）の各色に対応した光学系を備えている。
【００３０】
また、画像形成装置１０は、Ｙ（イエロー）、Ｍ（マゼンタ）、Ｃ（シアン）、Ｋ（ブラック）、の４色のトナー像を形成する電子写真ユニット１２Ｙ、１２Ｍ、１２Ｃ、１２Ｋを備えたタンデム方式とされている。電子写真ユニット１２Ｙは、感光体ドラム２４Ｙの周囲に帯電装置２６Ｙ、光走査装置２８ＹＭ、現像装置３０Ｙ、転写装置１４Ｙ、クリーニング装置３２Ｙを配置して構成されている。電子写真ユニット１２Ｍ〜１２Ｋについても同様の構成である。
【００３１】
さらに、画像形成装置１０は、転写装置１４Ｙ〜１４Ｋによって各トナー像が積層されてカラートナー像とされる中間転写ベルト１６と、中間転写ベルト１６上に転写されたカラートナー像をトレイ１８から供給された用紙に転写する転写装置２０と、用紙上に転写されたカラートナー像を溶融定着させる定着装置２２とを備えている。
【００３２】
図２に示すように、光走査装置２８ＹＭ、２８ＣＫは、樹脂製（成形品）で矩形箱状に形成されたハウジング３４を備えている。なお、光走査装置２８ＹＭ、２８ＣＫの内部は、ほぼ同様の構造とされているため、ここでは、光走査装置２８ＣＫについてのみ説明する。
【００３３】
図３及び図４に示すように、ハウジング３４には、Ｋ色に対応する光ビームＫを出射する光源部４０Ｋと、Ｃ色に対応する光ビームＣを出射する光源部４０Ｃが、出射方向が互いに略９０度となるように配置されている。本実施形態では、発光源として、面発光型の半導体レーザを使用している。図４に示すように、光源部４０Ｃ、４０Ｋは、面発光レーザチップ４１Ｃ、４１Ｋ及び、保持部材４３Ｃ、４３Ｋで構成されている。面発光レーザチップ４１Ｃ、４１Ｋは、同時に複数本の光レーザを出射可能とされている。保持部材４３Ｃ、４３Ｋは、面発光レーザチップ４１Ｃ、４１Ｋを保持するための部材であり、通称ＬＣＣ（Ｌｅａｄｌｅｓｓ  Ｃｈｉｐ  Ｃａｒｒｉｅｒ）と呼ばれており、ここでは材質としてセラミックを使用している。面発光レーザチップ４１Ｃ、４１Ｋは、保持部材４３Ｃ、４３Ｋを介して、電気回路が実装された回路基板４５Ｃ、４５Ｋに、各々電気的に接続されている。
【００３４】
光ビームＣを出射する光源部４０Ｃは、光ビームＫを出射する光源部４０Ｋに対して高さ方向をずらして設置され、光ビームＣと光ビームＫとは高さ方向に所定の距離離間するように配置されている。
【００３５】
光源部４０Ｋから出射された光ビームＫの光路上には、光ビームＫを平行光にするためのコリメータレンズユニット４２Ｋが設けられている。コリメータレンズユニット４２Ｋを通過した光ビームＫは、反射ミラー４４の下を通り抜け、スリット板４６Ｋに入射して光路上に設けられたハーフミラー４８に入射する。ハーフミラー４８は、光ビームＫを、通過する光ビームＫと、反射し光パワーモニタ５０に入射する光ビームＢＫとに所定の割合で振り分ける。本実施形態では面発光レーザを用いているため、光量制御のための光をバックビームから得ることができない。そのため、このように前方に出射された光ビームの一部を利用する。ハーフミラー４８を通過した光ビームＫは、シリンドリカルレンズ５２Ｋを通過し、図３に示すように、光路上に設けられた光偏向器７０のポリゴンミラー５４に入射する。
【００３６】
一方、光源部４０Ｃから出射された光ビームＣの光路上には、光ビームＣを平行光にするためのコリメータレンズユニット４２Ｃが設けられている。コリメータレンズユニット４２Ｃを通過した光ビームＣは、反射ミラー４４で偏向され、スリット板４６Ｃに入射して光路上に設けられたハーフミラー４８に入射する。ハーフミラー４８は、光ビームＣを、通過する光ビームＣと、反射し光パワーモニタ５０に入射する光ビームＢＣとに所定の割合で振り分ける。ハーフミラー４８を通過した光ビームＣは、シリンドリカルレンズ５２Ｃを通過し、図３に示すように、光路上に設けられた光偏向器７０のポリゴンミラー５４に入射する。
【００３７】
ポリゴンミラー５４には、複数の反射鏡面が設けられ、ポリゴンミラー５４に入射した光ビームＣ、Ｋは、図５にも示すように、反射鏡面で偏向反射されてｆθレンズ５６、５８に入射する。ポリゴンミラー５４、ｆθレンズ５６、５８は、光ビームＣ、Ｋを同時に走査できる大きさになっている。
【００３８】
ｆθレンズ５６を通過した２色の光ビームＣ、Ｋは分離され、それぞれ副走査側にパワーを持つシリンドリカルミラー６０Ｃ、６０Ｋに反射される。シリンドリカルミラー６０Ｋによって反射された光ビームＫは、反射ミラー６２Ｋへ折り返され、さらに、シリンドリカルミラー６４Ｋ、反射ミラー６６Ｋによって偏向され、感光体ドラム２４Ｋに結像されて静電潜像を形成する。
【００３９】
また、シリンドリカルミラー６０Ｃによって反射された光ビームＣは、反射ミラー６２Ｃへ折り返され、さらに、シリンドリカルミラー６４Ｃによって偏向され、感光体ドラム２４Ｃ上に結像されて静電潜像を形成する。
【００４０】
このように、本実施形態の画像形成装置１０は、ＹＭＣＫの各色毎に独立した電子写真ユニット１２Ｙ、１２Ｍ、１２Ｃ、１２Ｋを備えるタンデム方式であり、４サイクル方式に比べて高速印刷が可能とされている。また、光走査装置２８ＹＭ、２８ＣＫの小型化に伴って、各光学素子は小型化及び高密度実装化されており、特に、ハウジング３４の底面に近接して狭いスペースに配置された小型のシリンドリカルミラー６０Ｃ、６０Ｋについては、支持部のピッチが狭くなって保持状態が不安定になりやすくなっているが、ミラー押圧点の配置に対する制約が増して、安定した保持状態を得るための設計が困難となっている。
【００４１】
図６（Ａ）及び図７（Ａ）、（Ｂ）には、光走査装置２８ＹＭ、２８ＣＫのハウジング３４内に、上記のシリンドリカルミラー６０（６０Ｍ、６０Ｋ）が収容されて取り付けられた状態が示されており、図６（Ｂ）には、そのシリンドリカルミラー６０を保持するための本実施形態に係る保持部材８４が示されている。
【００４２】
図示のように、ハウジング３４の底面３４Ａには、ボス状の一対の突部８０と、調整ネジ８２が設けられており、これら一対の突部８０及び調整ネジ８２からなる３箇所の支持部によって、シリンドリカルミラー６０の支持基準面（データム面）が構成されている。
【００４３】
一対の突部８０はシリンドリカルミラー６０の両側端部に対応して配置され、調整ネジ８２は、シリンドリカルミラー６０の中央部に対応して配置されており、それらは、図７（Ａ）に示すように、平面視にて二等辺三角形状に配置されている。そしてシリンドリカルミラー６０は、その３箇所の支持部上に載置されて下面６０Ａが支持されている。
【００４４】
シリンドリカルミラー６０の上面６０Ｂには、保持部材８４が重ねられて載置されている。この保持部材８４はＳＵＳ等の金属板からなり、金属板材料にプレス成形によって外形加工、曲げ加工、及び打ち出し加工を施して形成されている。
【００４５】
図６に示すように、保持部材８４は矩形平板状の基板８６を備え、基板８６の短手方向における両縁部（前縁部及び後縁部）に、基板８６に対して略直角に、互いに逆方向へ屈曲形成された一対の曲げ部８８が設けられている。これにより、保持部材８４の側断面形状はクランク状とされている。
【００４６】
図６（Ｂ）に示すように、基板８６の下面には、半球状に突出された３個の突出部９０が設けられている。これらの突出部９０は、全て同一形状とされて、大きさ及び突出高さが揃えられており、図７（Ａ）に示すように、平面視にて二等辺三角形状に配置されている。
【００４７】
図７（Ｂ）に示すように、ハウジング３４の底面３４Ａ上には、シリンドリカルミラー６０の背面側に段部３４Ｂが設けられており、この段部３４Ｂには、一対の板バネ９２が取り付けられている。
【００４８】
板バネ９２は、図示のように略クランク状に屈曲され、基端部が段部３４Ｂにネジ９６によって固定されている。また、先端部の下面には、略半球状の突部９４が形成されている。
【００４９】
そして、保持部材８４は、３個の突出部９０を下方へ向けてシリンドリカルミラー６０の上面６０Ｂに重ねられ、その３個の突出部９０をシリンドリカルミラー６０の上面６０Ｂに当接させた状態で、上面の両側端部付近が一対の板バネ９２のバネ力によって下方へ押圧されることにより、３箇所の支持部と一対の板バネ９２との間に、シリンドリカルミラー６０と共に挟持されて保持されており、これによって、シリンドリカルミラー６０は、高さ方向（矢印Ｚ方向）の位置決めがなされて保持されている。
【００５０】
また、この保持状態（取付状態）では、図７（Ａ）に示すように、３個の突出部９０が、それぞれ一対の突部８０及び調整ネジ８２に略対向して配置されている。また、保持部材８４を押圧する板バネ９２の突部９４は、３個の突出部９０（３箇所の支持部）を結んで形成される二等辺三角形内に配置されており、さらにここでは、両側の突出部９０（一対の突部８０）寄りで、且つ、中央の突出部９０（調整ネジ８２）に対し略対称位置に配置されている。
【００５１】
また、シリンドリカルミラー６０の光軸Ｌ方向（厚さ方向／矢印Ｘ方向）、及び、光軸Ｌ方向と直交する長手方向（長さ方向／矢印Ｙ方向））については、図８に示した従来の保持構造と同様の構造によって位置決めされ保持されている。
【００５２】
すなわち、光軸Ｌ方向については、ミラー面６０Ｃ側の両端部付近が一対のバネ部材９８によって押圧され、背面の両端部付近がハウジング３４の底面３４Ａに立設された一対の位置決め部材１００に当接されることで位置決めされて保持されており、光軸Ｌ方向と直交する方向については、一側面がバネ部材１０２によって押圧され、他側面がハウジング３４に設けられた位置決め突起部１０４に当接されることで位置決めされて保持されている。
【００５３】
そして、ここでも、調整ネジ８２を回転させて進退（上下移動）させ、ハウジング３４の底面３４Ａからの先端突出量を変更することにより、シリンドリカルミラー６０の傾き調整が行われる。
【００５４】
次に、本実施形態の作用について説明する。上述したように、ハウジング３４に設けられた３箇所の支持部（一対の突部８０及び調整ネジ８２）上に載置されて、下面６０Ａが支持されたシリンドリカルミラー６０は、その上面６０Ｂに重ねられた保持部材８４の両側端部近傍の２箇所が一対のバネ部材１０６によって支持部側へ押圧されることにより（図６（Ａ）の矢印Ｆ１）、保持部材８４に設けられた剛体からなる３個の突出部９０によって上面６０Ｂの３箇所が押圧された状態で（図６（Ａ）の矢印Ｆ２）、保持される。
【００５５】
このように、３箇所で支持された下面６０Ａに対し、上面６０Ｂも３箇所で押圧することにより、従来のように上面を２箇所で押圧する構成に比べてシリンドリカルミラー６０の保持安定性が向上する。また、調整ネジ８２を上下方向へ移動させてミラーの傾きを調整する場合に、傾動方向に対する追従性及び安定性が良好になって、高精度な調整が可能となり、調整後の保持安定性も向上する。
【００５６】
また、金属板からなる本実施形態の保持部材８４は、３個の突出部９０が剛体であるため、従来のような板バネを形成した押さえ基板等に比べて、加工が容易で構成が簡素化され、さらに、シリンドリカルミラー６０とともに３箇所の支持部と一対の板バネ９２の間に挟持されて保持されるため、着脱も容易である。
【００５７】
これにより、簡単な構成によってシリンドリカルミラー６０の保持安定性と傾き調整における傾動方向への追従性及び安定性を向上することができ、シリンドリカルミラー６０による光ビームの走査性能の低下が抑えられる。
【００５８】
また、ここでは、保持部材８４に設けた３個の突出部９０を、３箇所の支持部に略対向させて配置していることにより、シリンドリカルミラー６０の保持安定性と、傾き調整時の傾動方向に対する追従性及び安定性が更に高められる。さらに、一対の板バネ９２に設けた突部９４を、３個の突出部９０を結んで形成される二等辺三角形内に配置して、保持部材８４を押圧していることにより、シリンドリカルミラー６０に対する保持部材８４（３個の突出部９０）の当接状態が安定する。これにより、シリンドリカルミラー６０の保持安定性、及び、傾き調整時の傾動方向に対する追従性と安定性が更に良好になる。
【００５９】
また、本実施形態の保持部材８４は、突出部９０を一体的に設けていることで、例えば、突出部９０が別体とされる場合に比べて、簡素化し安価に作製することができる。
【００６０】
また、このような長尺板状の保持部材８４の場合、特に長手方向で変形しやすくなるが、本実施形態では、保持部材８４（基板８６）を薄肉としても、曲げ部８８によって長手方向の剛性が高められるため、軽量化及び高剛性化を図りつつ、シリンドリカルミラー６０を保持する際の長手方向における変形が抑えられて保持性能に優れた保持部材８４が得られる。
【００６１】
また、保持部材８４を金属板で形成していることにより、プレス成形によって打ち出し加工や曲げ加工等を施すことで、突出部９０を一体的に設けたり、剛性の向上を図って所望する形状の保持部材８４を簡単且つ安価に作製することができる。
【００６２】
そして、上記の光走査装置２８ＹＭ、２８ＣＫを備えた電子写真方式の画像形成装置１０では、光学素子（シリンドリカルミラー６０）による光ビームの走査性能の低下が抑えられて、高品質な画像を形成することができる。
【００６３】
以上、本発明を上述した特定の実施形態により詳細に説明したが、本発明はその実施形態に限定されるものではなく、本発明の範囲内にて他の種々の形態が実施可能である。
【００６４】
また、本発明は、上述したシリンドリカルミラー６０（６０Ｍ、６０Ｋ）に限らず、他のシリンドリカルミラー６０Ｙ、６０Ｃ、シリンドリカルミラー６２Ｙ、６２Ｍ、６２Ｃ、６２Ｋ、あるいは、反射ミラー６４Ｙ、６４Ｍ、６４Ｃ、６４Ｋ、及び、反射ミラー６６Ｍ、６６Ｋ等の他の光学素子に適用することもできる。
【図面の簡単な説明】
【００６５】
【図１】本発明の一実施形態に係る画像形成装置の構成を示す概略図である。
【図２】本発明の一実施形態に係る光走査装置を示す斜視図である。
【図３】本発明の一実施形態に係る光走査装置の主要構成部品を示す平面図である。
【図４】本発明の一実施形態に係る光走査装置の主要構成部品を示す斜視図である。
【図５】本発明の一実施形態に係る光走査装置の光路を示す図である。
【図６】（Ａ）は本発明の一実施形態に係るシリンドリカルミラーが光走査装置のハウジング内に収容されて保持された状態を示す斜視図、（Ｂ）は本発明の一実施形態に係る保持部材を示す下面側から見た斜視図である。
【図７】本発明の一実施形態に係るシリンドリカルミラーが光走査装置のハウジング内に収容されて保持された状態を示す（Ａ）は平面図、（Ｂ）は側面図である。
【図８】従来のシリンドリカルミラーが光走査装置のハウジング内に収容されて保持された状態を示す（Ａ）は平面図、（Ｂ）は側面図である。
【符号の説明】
【００６６】
１０   画像形成装置
２４Ｙ、２４Ｍ、２４Ｃ、２４Ｋ     感光体ドラム（被走査面）
２８ＣＫ      光走査装置
２８ＹＭ      光走査装置
３４   ハウジング（筐体）
４０   光源部（光源）
５４   ポリゴンミラー
６０（６０Ｍ、６０Ｋ）      シリンドリカルミラー（光学素子）
６０Ａ 下面
６０Ｂ 上面
７０   光偏向器（光偏向手段）
８０   突部（支持部）
８２   調整ネジ（支持部）
８４   保持部材
８６   基板
８８   曲げ部
９０   突出部（当接部）
９２   板バネ（押圧手段）
９４   突部（押圧部）
Ｙ、Ｍ、Ｃ、Ｋ       光ビーム
【図１】
0004665658.tif 000002
【図２】
0004665658.tif 000003
【図３】
0004665658.tif 000004
【図４】
0004665658.tif 000005
【図５】
0004665658.tif 000006
【図６】
0004665658.tif 000007
【図７】
0004665658.tif 000008
【図８】
0004665658.tif 000009